(57)【特許請求の範囲】
【請求項１】
プラグが有する一対の接触子が挿通される一対の第１の挿通孔からなる第１の挿通部、及び一対の第２の挿通孔からなる第２の挿通部が一方向に並んで形成されたボディと、
前記ボディに収納され、前記一対の第１の挿通孔に挿通した一対の接触子が接触導通する第１の接触子受けと、
前記ボディに収納され、前記一対の第２の挿通孔に挿通した一対の接触子が接触導通する第２の接触子受けと、
前記ボディに収納され、前記一対の第１の挿通孔に挿通した一対の接触子の両方に当接し、一対の接触子の挿通量が増加するにつれて、前記一方向に沿って、前記一対の第１の挿通孔の両方を閉塞する第１の閉塞位置から、前記一対の第１の挿通孔の両方を開放する第１の開放位置へ向かうように移動する第１の扉体と、
前記ボディに収納され、前記一対の第２の挿通孔に挿通した一対の接触子の両方に当接し、一対の接触子の挿通量が増加するにつれて、前記一方向に沿って、前記一対の第２の挿通孔の両方を閉塞する第２の閉塞位置から、前記一対の第２の挿通孔の両方を開放する第２の開放位置へ向かうように移動する第２の扉体と、
前記ボディの内面に設けられ、前記一方向と直交する他方向に対向する一対の突起とを備え、
前記第１の開放位置及び前記第２の開放位置は、前記一方向において、前記第１の閉塞位置と前記第２の閉塞位置との間にあり、
前記一対の突起は、前記一方向において、前記第１の閉塞位置と前記第２の閉塞位置との間に設けられており、
前記第１の扉体は、前記一対の第１の挿通孔のうちいずれか一方にのみ接触子が挿通した場合、前記第１の開放位置側の端部が、前記一対の突起のうちいずれか一方に当接し、
前記第２の扉体は、前記一対の第２の挿通孔のうちいずれか一方にのみ接触子が挿通した場合、前記第２の開放位置側の端部が、前記一対の突起のうちいずれか一方に当接する
ことを特徴とするコンセント。
【請求項２】
前記第１の扉体は、前記一対の第１の挿通孔を閉塞又は開放する一対の第１の扉片と、前記一対の第１の扉片を連結する第１の連結片と、前記第１の連結片から、前記一対の第１の挿通孔に挿通される一対の接触子の挿入方向に向かって突出する第１の突部とを有し、前記第１の突部を支点として回動可能に構成され、
前記第２の扉体は、前記一対の第２の挿通孔を閉塞又は開放する一対の第２の扉片と、前記一対の第２の扉片を連結する第２の連結片と、前記第２の連結片から、前記一対の第２の挿通孔に挿通される一対の接触子の挿入方向に向かって突出する第２の突部とを有し、前記第２の突部を支点として回動可能に構成され、
前記第１の扉体は、前記一対の第１の挿通孔のうちいずれか一方にのみ接触子が挿通した場合、前記第１の突部を支点にして傾斜し、前記第１の開放位置側の端部が、前記一対の突起のうちいずれか一方に当接し、
前記第２の扉体は、前記一対の第２の挿通孔のうちいずれか一方にのみ接触子が挿通した場合、前記第２の突部を支点にして傾斜し、前記第２の開放位置側の端部が、前記一対の突起のうちいずれか一方に当接する
ことを特徴とする請求項１記載のコンセント。
【発明の詳細な説明】
【技術分野】
【０００１】
本発明は、コンセントに関するものである。
【背景技術】
【０００２】
従来、トランスを内蔵し、異なる電圧を出力可能な２口コンセントがある（例えば、特許文献１参照）。このコンセントは、プラグの一対の接触子が挿通される一対の挿通孔を２組備えており、互いに異なる電圧を出力することができる。この種のコンセントは、例えばホテルの洗面所に設けられるシェーバー用のコンセントとして用いられ、使用電圧が異なる様々な機器（例えばシェーバー）に対応することができる。
【０００３】
また、コンセント内部に異物の侵入を防止するため、一対の挿通孔の両方を閉塞または開放する扉体を備えたコンセントもある。扉体は、一対の挿通孔の両方を閉塞する閉塞位置と、一対の挿通孔の両方を開放する開放位置との間を移動自在に構成されている。また、扉体は、復帰ばねが設けられており、復帰ばねによって閉塞位置に付勢されている。そして、扉体は、挿通孔に挿通されたプラグの接触子に当接し、接触子の挿通量が増加するにつれて、復帰ばねを圧縮しながら閉塞位置から開放位置に向かって移動する。
【先行技術文献】
【特許文献】
【０００４】
【特許文献１】特開平９−１７４９５号公報
【発明の概要】
【発明が解決しようとする課題】
【０００５】
従来のコンセントに設けられた扉体は、一対の挿通孔のうちいずれか一方にでもプラグの接触子が挿通されると閉塞位置から開放位置に移動する構成であった。また、複数組の挿通孔を備えるコンセントは、異なる組の挿通孔同士が近くに設けられる場合が多い。そのため、ユーザーが誤ってプラグの一対の接触子を、異なる組の挿通孔同士に挿入するおそれがあった。
【０００６】
本発明は、上記事由に鑑みてなされたものであり、その目的は、プラグの一対の接触子が異なる組の挿通孔同士に挿入されることを防止することができるコンセントを提供することにある。
【課題を解決するための手段】
【０００７】
本発明のコンセントは、プラグが有する一対の接触子が挿通される一対の第１の挿通孔からなる第１の挿通部、及び一対の第２の挿通孔からなる第２の挿通部が一方向に並んで形成されたボディと、前記ボディに収納され、前記一対の第１の挿通孔に挿通した一対の接触子が接触導通する第１の接触子受けと、前記ボディに収納され、前記一対の第２の挿通孔に挿通した一対の接触子が接触導通する第２の接触子受けと、前記ボディに収納され、前記一対の第１の挿通孔に挿通した一対の接触子の両方に当接し、一対の接触子の挿通量が増加するにつれて、前記一方向に沿って、前記一対の第１の挿通孔の両方を閉塞する第１の閉塞位置から、前記一対の第１の挿通孔の両方を開放する第１の開放位置へ向かうように移動する第１の扉体と、前記ボディに収納され、前記一対の第２の挿通孔に挿通した一対の接触子の両方に当接し、一対の接触子の挿通量が増加するにつれて、前記一方向に沿って、前記一対の第２の挿通孔の両方を閉塞する第２の閉塞位置から、前記一対の第２の挿通孔の両方を開放する第２の開放位置へ向かうように移動する第２の扉体と、前記ボディの内面に設けられ、前記一方向と直交する他方向に対向する一対の突起とを備え、前記第１の開放位置及び前記第２の開放位置は、前記一方向において、前記第１の閉塞位置と前記第２の閉塞位置との間にあり、前記一対の突起は、前記一方向において、前記第１の閉塞位置と前記第２の閉塞位置との間に設けられており、前記第１の扉体は、前記一対の第１の挿通孔のうちいずれか一方にのみ接触子が挿通した場合、前記第１の開放位置側の端部が、前記一対の突起のうちいずれか一方に当接し、前記第２の扉体は、前記一対の第２の挿通孔のうちいずれか一方にのみ接触子が挿通した場合、前記第２の開放位置側の端部が、前記一対の突起のうちいずれか一方に当接することを特徴とする。
【０００８】
このコンセントにおいて、前記第１の扉体は、前記一対の第１の挿通孔を閉塞又は開放する一対の第１の扉片と、前記一対の第１の扉片を連結する第１の連結片と、前記第１の連結片から、前記一対の第１の挿通孔に挿通される一対の接触子の挿入方向に向かって突出する第１の突部とを有し、前記第１の突部を支点として回動可能に構成され、前記第２の扉体は、前記一対の第２の挿通孔を閉塞又は開放する一対の第２の扉片と、前記一対の第２の扉片を連結する第２の連結片と、前記第２の連結片から、前記一対の第２の挿通孔に挿通される一対の接触子の挿入方向に向かって突出する第２の突部とを有し、前記第２の突部を支点として回動可能に構成され、前記第１の扉体は、前記一対の第１の挿通孔のうちいずれか一方にのみ接触子が挿通した場合、前記第１の突部を支点にして傾斜し、前記第１の開放位置側の端部が、前記一対の突起のうちいずれか一方に当接し、前記第２の扉体は、前記一対の第２の挿通孔のうちいずれか一方にのみ接触子が挿通した場合、前記第２の突部を支点にして傾斜し、前記第２の開放位置側の端部が、前記一対の突起のうちいずれか一方に当接することが好ましい。
【発明の効果】
【０００９】
以上説明したように、本発明では、一対の挿通孔のうちいずれか一方にのみプラグの接触子が挿通した場合は扉体の移動が阻止されるので、プラグの一対の接触子が異なる組の挿通孔同士に挿入されることを防止することができるという効果がある。
【図面の簡単な説明】
【００１０】
【図１】本発明の実施形態のコンセントの分解斜視図である。
【図２】（ａ）同上の前面図である。（ｂ）同上の右面図である。（ｃ）同上の下面図である。
【図３】（ａ）（ｂ）第１，第２の台座の外観図である。
【図４】第１，第２の扉体および復帰ばねの外観図である。
【図５】（ａ）（ｂ）第１の扉体の外観図である。
【図６】カバーの後面一部拡大図である。
【図７】（ａ）一対の第１の挿通孔の両方に接触子が挿通された場合における第１の扉体の状態を示す断面図である。（ｂ）一対の第１の挿通孔のうち一方にのみ接触子が挿通された場合における第１の扉体の状態を示す断面図である。
【図８】（ａ）一対の第１の挿通孔の両方に接触子が挿通される状態を示す外観斜視図である。（ｂ）一対の第１の挿通孔の一方と一対の第２の挿通孔の一方とに接触子が挿通される状態を示す外観斜視図である。
【図９】（ａ）一対の第１の挿通孔の両方に接触子が挿通された場合における第１の扉体の状態を示す断面図である。（ｂ）一対の第１の挿通孔のうち一方にのみ接触子が挿通された場合における第１の扉体の状態を示す断面図である。
【図１０】（ａ）一対の第１の挿通孔の両方に接触子が挿通され、第１の扉体が第１の閉塞位置にある状態を示す斜視図である。（ｂ）一対の第１の挿通孔の一方にのみ接触子が挿通され、第１の扉体の移動が阻止された状態を示す斜視図である。
【発明を実施するための形態】
【００１１】
以下、本発明の実施の形態を図面に基づいて説明する。
【００１２】
（実施形態）
本実施形態のコンセントは、プラグが有する一対の接触子が挿通される一対の挿通孔を２組備え、互いに異なる電圧（例えば１１０Ｖ／２２０Ｖ）を出力する２口コンセントであり、例えばホテルの洗面所に設けられるシェーバー用のコンセントとして用いられる。そして、コンセントには、１１０Ｖを使用電圧とする第１の機器（図示なし）が具備する第１のプラグ（図示なし）または、２２０Ｖを使用電圧とする第２の機器（図示なし）が具備する第２のプラグ（図示なし）が接続される。以下に、本実施形態のコンセントの構成について、図１〜図１０を用いて説明する。なお、図２（ａ）における上下左右を基準とし、上下左右方向と直交する手前方向を前方向、上下左右方向と直交する奥方向を後方向と規定して説明する。
【００１３】
本実施形態のコンセントは、プラグの接触子が挿通される２組の挿通孔（一対の第１の挿通孔４２ａ，一対の第２の挿通孔４２ｂ）が形成されたボディ１を備える。このボディ１には、接触子が接触導通する２組の接触子受け（第１，第２の接触子受け５ａ，５ｂ），挿通孔を閉塞または開放する２つの扉体（第１，第２の扉体６ａ，６ｂ），トランス８等が収納される。また、コンセントは、矩形状の開口１１１からボディ１の前面を露出させる取り付け板１１を備えており、この取り付け板１１を用いて構造物の壁面に形成された開口に埋込配設される。また、取り付け板１１の前面には、化粧パネル１２，１３が設けられる。
【００１４】
ボディ１は、第１の器体２，第２の器体３，カバー４が組み合わさることで中空の矩形体状に形成されている。第１の器体２は、前面，右面が開口した矩形体状に形成されている。第２の器体３は、前面が開口し、右側から第１の器体２の右側開口を覆う矩形体状に形成されている。カバー４は、前側から第１，第２の器体２，３の前側開口を覆う。
【００１５】
カバー４は、矩形状の前面を有しており、この前面に第１の挿通部４１ａと第２の挿通部４１ｂとが上下方向に並んで形成されている。なお、第１の挿通部４１ａは、第２の挿通部４１ｂに対して上側に形成されている。
【００１６】
第１の挿通部４１ａは、左右方向に並んで形成された一対の第１の挿通孔４２ａ，４２ａで構成されている。この一対の第１の挿通孔４２ａ，４２ａそれぞれに、第１のプラグが有する一対の接触子が挿通される。また、第２の挿通部４１ｂは、左右方向に並んで形成された一対の第２の挿通孔４２ｂ，４２ｂで構成されている。この一対の第２の挿通孔４２ｂ，４２ｂそれぞれに、第２のプラグが有する一対の接触子が挿通される。なお、左側の第１の挿通孔４２ａと左側の第２の挿通孔４２ｂとは、上下方向に並んで形成され、右側の第１の挿通孔４２ａと右側の第２の挿通孔４２ｂとは、上下方向に並んで形成されている。また、第１，第２の挿通孔４２ａ，４２ｂのそれぞれは、平板状の接触子が挿通可能な矩形状の孔と、丸棒状の接触子が挿通可能な円形状の孔とが一体に形成された、いわゆるユニバーサル型のコンセント口となっている。したがって、複数種類のプラグの接触子を、第１，第２の挿通孔４２ａ，４２ｂに挿通させることができる。なお、第１の挿通孔４２ａに挿通される第１のプラグの接触子と、第２の挿通孔４２ｂに挿通される第２のプラグの接触子とは、互いに同一形状であってもよいし、互いに異なる形状であってもよい。
【００１７】
第１の器体２は、カバー４の後方に配設され、トランス８を収納している。第１の器体２は、後面に矩形状の開口２１が形成されており、この開口２１を塞ぐように前方から矩形状の台座２２がはめ込まれる。そして、この台座２２の前面にトランス８が設けられる。トランス８の入力は、第２の器体３に収納されたケーブル８１を介して第２の器体３から露出した接続端子３１に接続されている。この接続端子３１に、分電盤から導出された電線（図示なし）が接続されることで、トランス８に商用電源が供給される。そして、トランス８は、商用電源から１１０Ｖ／２２０Ｖの出力電圧を生成する。トランス８の出力は、第２の器体３に収納された第１，第２の接触子受け５ａ，５ｂに接続されており、一対の第１の接触子受け５ａ，５ａ間に１１０Ｖの電圧が印加され、一対の第２の接触子受け５ｂ，５ｂ間に２２０Ｖの電圧が印加される。なお、トランス８の出力電圧１１０Ｖ／２２０Ｖは、一例であって他の電圧値であってもよい。
【００１８】
第２の器体３は、カバー４に形成された第１，第２の挿通部４１ａ，４１ｂと対向するように、カバー４の後方における第１の器体２の右側に配設され、第１，第２の接触子受け５ａ，５ｂ、第１，第２の扉体６ａ，６ｂを収納している。また、第２の器体３は、第１，第２の接触子受け５ａ，５ｂを保持する第１の台座３２と、第１，第２の扉体６ａ，６ｂを保持する第２の台座３３とを収納しており、第２の台座３３は第１の台座３２の前方に積み重ねられる。第１，第２の台座３２，３３の前面図を図３（ａ）、下面図を図３（ｂ）に示す。
【００１９】
第１の台座３２は、第２の器体３の後面に設けられており、前面が矩形状に形成され、前面に一対の第１の接触子受け５ａ，５ａおよび一対の第２の接触子受け５ｂ，５ｂが設けられる。また、第１の台座３２は、前面の四隅に凹部３２１が形成されており、各凹部３２１に第１，第２の接触子受け５ａ，５ｂがはめ込まれる。なお、一対の第１の接触子受け５ａ，５ａは、一対の第１の挿通孔４２ａ，４２ａに対向するように配設され、一対の第２の接触子受け５ｂ，５ｂは、一対の第２の挿通孔４２ｂ，４２ｂに対向するように配設される。ここで、第１，第２の接触子受け５ａ，５ｂのそれぞれは、ばね性を有する金属材料からなり、第１，第２の挿通孔４２ａ，４２ｂに挿通された接触子に対して弾性接触することで接触導通する。また、第１の台座３２の前面中央部には、凹部３２２が形成されており、この凹部３２２には後述するスライド部材３４がはめ込まれる。
【００２０】
第２の台座３３は、第１の台座３２の前方に積み重ねられ、カバー４の後面に対向した前面（載置面）に第１，第２の扉体６ａ，６ｂおよび、第１，第２の扉体６ａ，６ｂを付勢する２つの復帰ばね７が設けられる。第２の台座３３は、第１の台座３２に設けられた第１，第２の接触子受け５ａ，５ｂを閉塞しないよう四隅に矩形状の開口３３１が形成されている。そして、第２の台座３３の前面には、一対の第１の接触子受け５ａ，５ａに対向する一対の開口３３１，３３１間および、一対の第２の接触子受け５ｂ，５ｂに対向する一対の開口３３１，３３１間に、案内溝３３２が上下方向に沿って形成されている。さらに、第２の台座３３の中央部には、第１の台座３２に設けられたスライド部材３４を挿通させる矩形状の開口３３３が形成されている。スライド部材３４は、軸部３４１，フランジ３４２，ガイド部３４３で構成されている。軸部３４１は、前後方向を長手方向とする棒状に形成されている。フランジ３４２は、軸部３４１の前端から上下左右方向に拡幅するように形成され、第２の台座３３の開口３３３の周縁に後方から当接して、第２の台座３３を支持する。ガイド部３４３は、第２の台座３３の開口３３３から前方に突出するようにフランジ３４２に形成され、前面に案内溝３４４が上下方向に沿って形成されている。なお、第２の台座３３に形成された案内溝３３２と、ガイド部３４３に形成された案内溝３４４とは、上下方向に連続するように形成されている。
【００２１】
そして、図４に示すように、第２の台座３３の前面に、第１の扉体６ａと第２の扉体６ｂとが上下方向に並んで配設され、第１，第２の扉体６ａ，６ｂは、案内溝３３２，３４４に沿って上下方向にスライドする。また、上下方向における第１の扉体６ａと第２の扉体６ｂとの間には、２つの復帰ばね７が配設される。
【００２２】
第１の扉体６ａの前面図を図５（ａ）、上面図を図５（ｂ）に示す。第１の扉体６ａは、一対の扉片６１ａ，６１ａと連結片６２ａと突部６３ａとで構成されている。一対の扉片６１ａ，６１ａは、左右方向に並んで形成されており、それぞれが一対の第１の挿通孔４２ａを閉塞または開放する。また、扉片６１ａの前面は、下方向から上方向に向かうにつれて後方に傾斜した斜面６１１ａで構成されている。連結片６２ａは、左右方向に並んで形成されている一対の扉片６１ａ，６１ａ同士を連結する。突部６３ａは、連結片６２ａから後方に向かって突出している。そして、第１の扉体６ａは、突部６３ａの先端が案内溝３３２の底部に当接するように第２の台座３３の前面に載置され、案内溝３３２，３４４に沿って上下方向にスライド自在に構成される。上記構成により、第１の扉体６ａは、一対の扉片６１ａ，６１ａが一対の第１の挿通孔４２ａ，４２ａの両方を閉塞する上側の第１の閉塞位置と、一対の第１の挿通孔４２ａ，４２ａの両方を開放する下側の第１の開放位置との間を移動する。また、第１の扉体６ａは、突部６３ａの先端が第２の台座３３の前面に当接することで、突部６３ａの先端を支点として第１の扉体６ａの左右両端が前後方向に傾くように回動自在に構成される。
【００２３】
第２の扉体６ｂは、第１の扉体６ａと上下対称の同一構成であり、一対の扉片６１ｂ，６１ｂと連結片６２ｂと突部６３ｂとで構成されている。一対の扉片６１ｂ，６１ｂは、左右方向に並んで形成されており、それぞれが一対の第２の挿通孔４２ｂを閉塞または開放する。また、扉片６１ｂの前面は、上方向から下方向に向かうにつれて後方に傾斜した斜面６１１ｂで構成されている。連結片６２ｂは、左右方向に並んで形成されている一対の扉片６１ｂ，６１ｂ同士を連結する。突部６３ｂは、連結片６２ｂから後方に向かって突出している。そして、第２の扉体６ｂは、突部６３ｂの先端が案内溝３３２の底部に当接するように第２の台座３３の前面に載置され、案内溝３３２，３４４に沿って上下方向にスライド自在に構成される。上記構成により、第２の扉体６ｂは、一対の扉片６１ｂ，６１ｂが一対の第２の挿通孔４２ｂ，４２ｂの両方を閉塞する下側の第２の閉塞位置と、一対の第２の挿通孔４２ｂ，４２ｂの両方を開放する上側の第２の開放位置との間を移動する。また、第２の扉体６ｂは、突部６３ｂの先端が第２の台座３３の前面に当接することで、突部６３ｂの先端を支点として第２の扉体６ｂの左右両端が前後方向に傾くように回動自在に構成される。
【００２４】
復帰ばね７は、上下方向に伸縮するコイル状の圧縮ばねで構成されており、上下方向における第１の扉体６ａと第２の扉体６ｂとの間に配設されている。第１の扉体６ａは、一対の扉片６１ａそれぞれの下面に突部６４ａが形成され、第２の扉体６ｂは、一対の扉片６１ｂそれぞれの上面に突部６４ｂが形成されている。２つの復帰ばね７それぞれは、上端部が第１の扉体６ａの扉片６１ａに形成された突部６４ａにはめ込まれ、下端部が第２の扉体６ｂの扉片６１ｂに形成された突部６４ｂにはめ込まれる。すなわち、復帰ばね７は、互いに上下方向に対向する第１の扉体６ａの扉片６１ａと第２の扉体６ｂの扉片６１ｂとの間に介在し、第１の扉体６ａを上方向、第２の扉体６ｂを下方向に付勢する。
【００２５】
また、第２の台座３３には、第１の扉体６ａの上端位置を規定する複数の突部３３４ａおよび、第２の扉体６ｂの下端位置を規定する複数の突部３３４ｂが形成されている。そして、第１のプラグの接触子が挿入されていない場合、第１の扉体６ａは、復帰ばね７によって上方向に付勢されることで上面が突部３３４ａに当接する。この第１の扉体６ａが突部３３４ａに当接した位置（上端位置）が、第１の扉体６ａが一対の第１の挿通孔４２ａを閉塞する第１の閉塞位置となる。また、第２のプラグの接触子が挿入されていない場合、第２の扉体６ｂは、復帰ばね７によって下方向に付勢されることで下面が突部３３４ｂに当接する。この第２の扉体６ｂが突部３３４ｂに当接した位置（下端位置）が、第２の扉体６ｂが一対の第２の挿通孔４２ｂを閉塞する第２の閉塞位置となる。
【００２６】
また、図６に示すように、カバー４の後面には、後方に向かって突出した一対の突起４３が設けられている。なお、図６に示した第１の扉体６ａは、第１の閉塞位置にあり、第２の扉体６ｂは、第２の閉塞位置にある。突起４３は、カバー４の上下方向の中央部における、第２の台座３３の左端，右端と対向する位置に形成されている。突起４３は、上側に位置する第１の突片４３１，下側に位置する第２の突片４３２，第１，第２の突片を連結する連結片４３３で構成されている。第１の突片４３１は、第１の閉塞位置にある第１の扉体６ａよりも下側の位置に形成された矩形状の突起であり、上面が第１の閉塞位置にある第１の扉体６ａの下面と上下方向に近接している。また、第２の突片４３２は、第２の閉塞位置にある第２の扉体６ｂよりも上側の位置に形成された矩形状の突起であり、下面が第２の閉塞位置にある第２の扉体６ｂの上面と上下方向に近接している。連結片４３３は、第１の突片４３１と第２の突片４３２とを上下方向に連結している。また、突起４３の高さ（前後方向の長さ寸法）は、第１，第２の扉体６ａ，６ｂの左右両端の位置が前後方向に同じである場合における、第１，第２の扉体６ａ，６ｂの左右両端からカバー４の後面までの寸法より短く形成されている（図７（ａ）参照）。
【００２７】
次に、本実施形態のコンセントにプラグが接続された際の動作について説明する。まず、図８（ａ）に示すように、第１のプラグ９の一対の接触子９１，９１が、一対の第１の挿通孔４２ａ，４２ａに挿通される場合について説明する。なお、第１のプラグ９，接触子９１の図示は以降省略している。
【００２８】
まず、コンセントに第１，第２のプラグが接続されていない場合、第１，第２の扉体６ａ，６ｂは、復帰ばね７によって第１，第２の閉塞位置に付勢されているので、第１，第２の挿通孔４２ａ，４２ｂを閉塞している（図４参照）。
【００２９】
そして、第１のプラグの一対の接触子が、一対の第１の挿通孔４２ａ，４２ａに挿通されると、一対の接触子の両方の先端が第１の扉体６ａの一対の扉片６１ａそれぞれの前面に形成された斜面６１１ａに当接する。ここで、第１のプラグの一対の接触子の各先端の位置は、前後方向でほぼ同じである。したがって、図７（ａ），図９（ａ）に示すように、第１の扉体６ａの左右両端の位置は、前後方向でほぼ同じとなり、カバー４の後面に形成された突起４３の先端よりも後方に位置する。そして、上述したように、扉片６１ａの斜面６１１ａは、下方向から上方向に向かうにつれて後方に傾斜している。したがって、第１のプラグの接触子が挿入される後方向への力が、扉片６１ａの斜面６１１ａによって下方向にも分散される。これにより、第１の扉体６ａは、第１のプラグの接触子の挿通量が増加するにつれて、復帰ばね７を圧縮しながら案内溝３３２，３４４に沿って下方向に移動する。このとき、第１の扉体６ａは、左右両端が突起４３の先端よりも後方に位置しているので、扉片６１ａの下面が第１の突片４３１に当接することなく、突起４３の後方を通過しながら下方向に移動する。そして、図１０（ａ）に示すように、第１の扉体６ａが一対の第１の挿通孔４２ａを開放する第１の開放位置まで変位すると、第１のプラグの一対の接触子が一対の第１の接触子受け５ａに接触導通される。このとき、第１の扉体６ａは、復帰ばね７によって上面が第１のプラグの接触子の側面（下面）に付勢されているので、ガイド部３４３の前方位置である第１の開放位置に固定される。
【００３０】
なお、上記では、第１のプラグの一対の接触子が一対の第１の挿通孔４２ａ，４２ａに挿入される場合について説明したが、第２のプラグの一対の接触子が一対の第２の挿通孔４２ｂ，４２ｂに挿入される場合についても同様であるので、説明を省略する。
【００３１】
また、本実施形態のコンセントは、一対の第１の挿通孔４２ａ，４２ａの一方にのみまたは、一対の第２の挿通孔４２ｂ，４２ｂの一方にのみ接触子が挿通した場合に、第１の扉体６ａまたは第２の扉体６ｂの移動を阻止する移動制限手段を備えている。そこで、図８（ｂ）に示すように、ユーザーが誤って左側の第１の挿通孔４２ａと左側の第２の挿通孔４２ｂとに第１のプラグ９の一対の接触子９１，９１を挿入しようとした例を用いて、移動制限手段について説明する。
【００３２】
一対の第１の挿通孔４２ａ，４２ａのうち、左側の第１の挿通孔４２ａにのみ第１のプラグの接触子が挿通されると、左側の扉片６１ａのみが接触子と当接して接触子が挿入される後方向への力が加えられる。すなわち、第１の扉体６ａは、加えられる前後方向の力が一対の扉片６１ａ，６１ａ同士で不均衡となるので、図７（ｂ）に示すように、突部６３ａの先端を支点として、第１の扉体６ａの左端側が後方向、右端側が前方向に傾くように回動する。これにより、右側の扉片６１ａの下面の一部と、右側の突起４３の第１の突片４３１の上面の一部とが対向した状態となる。そして、第１のプラグの接触子を挿入する後方向への力が扉片６１ａの斜面６１１ａによって下方向に分散されても、右側の扉片６１ａが第１の突片４３１に当接するので、第１の扉体６ａの下方向への移動が阻止される（図９（ｂ），図１０（ｂ）参照）。したがって、第１の扉体６ａは、一対の第１の挿通孔４２ａ，４２ａを閉塞している第１の閉塞位置から、一対の第１の挿通孔４２ａ，４２ａを開放する第１の開放位置に向かって下方向への移動ができない。すなわち、一対の第１の挿通孔４２ａ，４２ａのうち一方にのみ接触子が挿通された場合、この接触子を第１の接触子受け５ａに接触導通させることが不可となる。なお、図９（ｂ），図１０（ｂ）において、第１の扉体６ａのみが前後方向に傾斜した状態を示している。
【００３３】
このように、本実施形態の移動制限手段は、第１の扉体６ａに第２の台座３３の前面に先端が当接する突部６３ａを設けることで、一対の第１の挿通孔４２ａ，４２ａのうちいずれか一方にのみ接触子が挿通した場合に第１の扉体６ａを傾斜させる。そして、第１の閉塞位置にある第１の扉体６ａより下側の位置に、第１の扉体６ａが傾斜している場合にのみ第１の扉体６ａと当接する突起４３を設けることで移動制限手段が構成される。
【００３４】
同様に、第２の扉体６ｂについても、突部６３ｂの先端を支点として回動し、右側の扉片６１ｂが右側の突起４３の第２の突片４３２に当接するので、第２の扉体６ｂの上方向への移動が阻止される。したがって、第２の扉体６ｂは、一対の第２の挿通孔４２ｂ，４２ｂを閉塞している第２の閉塞位置から、一対の第２の挿通孔４２ｂ，４２ｂを開放する第２の開放位置に向かって上方向への移動ができない。すなわち、一対の第２の挿通孔４２ｂ，４２ｂのうち一方にのみ接触子が挿通された場合、この接触子を第２の接触子受け５ｂに接触導通させることが不可となる。
【００３５】
なお、一例として左側同士の第１，第２の挿通孔４２ａ，４２ｂに第１のプラグの一対の接触子が挿通される場合について説明したが、これに限定するものではない。例えば右側同士または左側と右側との第１，第２の挿通孔４２ａ，４２ｂに第１のプラグまたは第２のプラグが挿通される場合についても同様である。すなわち、一対の第１の挿通孔４２ａ，４２ａのうちいずれか一方または、一対の第２の挿通孔４２ｂ，４２ｂのうちいずれか一方にのみ、プラグの接触子が挿通した場合、第１の扉体６ａまたは第２の扉体６ｂの移動が阻止され、接触子の挿入が禁止される。
【００３６】
このように、本実施形態のコンセントは、ボディ１、第１，第２の接触子受け５ａ，５ｂ、第１，第２の扉体６ａ，６ｂ、移動制限手段を備える。
【００３７】
ボディ１は、第１のプラグが有する一対の接触子が挿通され一対の第１の挿通孔４２ａ，４２ａからなる第１の挿通部４１ａおよび、第２のプラグが有する一対の接触子が挿通される一対の第２の挿通孔４２ｂ，４２ｂからなる第２の挿通部４１ｂが形成される。
【００３８】
第１の接触子受け５ａは、ボディ１に収納され、第１の挿通孔４２ａに挿通した接触子が接触導通する。第２の接触子受け５ｂは、ボディ１に収納され、第２の挿通孔４２ｂに挿通した接触子が接触導通する。
【００３９】
第１の扉体６ａは、ボディ１に収納され、一対の第１の挿通孔４２ａ，４２ａに挿通した一対の接触子の両方に当接する。そして、第１の扉体６ａは、一対の接触子の挿通量が増加するにつれて、一対の第１の挿通孔４２ａ，４２ａを閉塞する第１の閉塞位置から、一対の第１の挿通孔４２ａ，４２ａの両方を開放する第１の開放位置へ向かう下方向（一方向）へ移動する。第２の扉体６ｂは、ボディ１に収納され、一対の第２の挿通孔４２ｂ，４２ｂに挿通した一対の接触子の両方に当接する。そして、第２の扉体６ｂは、一対の接触子の挿通量が増加するにつれて、一対の第２の挿通孔４２ｂ，４２ｂを閉塞する第２の閉塞位置から、一対の第２の挿通孔４２ｂ，４２ｂの両方を開放する第２の開放位置へ向かう上方向（一方向）へ移動する。
【００４０】
移動制限手段は、一対の第１の挿通孔４２ａ，４２ａのうちいずれか一方にのみ接触子が挿通した場合、第１の扉体６ａの下方向（一方向）への移動を阻止する。また、移動制限手段は、一対の第２の挿通孔４２ｂ，４２ｂのうちいずれか一方にのみ接触子が挿通した場合、第２の扉体６ｂの上方向（一方向）への移動を阻止する。
【００４１】
さらには、一対の第１の挿通孔４２ａ，４２ａは、ボディ１の前面（一面）において、下方向（一方向）と直交する左右方向（他方向）に並んで形成される。また、一対の第２の挿通孔４２ｂ，４２ｂは、ボディ１の前面（一面）において、上方向（一方向）と直交する左右方向（他方向）に並んで形成される。
【００４２】
第１の扉体６ａは、ボディ１内においてカバー４の後面に対向する第２の台座３３の前面（載置面）に載置されており、一対の扉片６１ａ，６１ａと、連結片６２ａと、突部６３ａとで構成される。一対の扉片６１ａ，６１ａは、一対の第１の挿通孔４２ａ，４２ａそれぞれを閉塞または開放する。連結片６２ａは、一対の扉片６１ａ，６１ａ同士を連結する。突部６３ａは、連結片６２ａから接触子の挿入方向と同一の後方向に向かって突出し、先端が第２の台座３３の前面（載置面）に当接する。第２の扉体６ｂは、ボディ１内においてカバー４の後面に対向する第２の台座３３の前面（載置面）に載置されており、一対の扉片６１ｂ，６１ｂと、連結片６２ｂと、突部６３ｂとで構成される。一対の扉片６１ｂ，６１ｂは、一対の第２の挿通孔４２ｂ，４２ｂそれぞれを閉塞または開放する。連結片６２ｂは、一対の扉片６１ｂ，６１ｂ同士を連結する。突部６３ｂは、連結片６２ｂから接触子の挿入方向と同一の後方向に向かって突出し、先端が第２の台座３３の前面（載置面）に当接する。
【００４３】
突起４３は、カバー４の後面（ボディ１の内面）において、第１の閉塞位置にある第１の扉体６ａよりも下側（一方向側），第２の閉塞位置にある第２の扉体６ｂよりも上側（一方向側）の位置から突出している。
【００４４】
そして、移動制限手段は、一対の第１の挿通孔４２ａ，４２ａのうちいずれか一方にのみ接触子が挿通した場合に、突部６３ａを支点とした回動によって傾斜した第１の扉体６ａの下側（一方向側）の端面が、突起４３に当接することで構成される。また、移動制限手段は、一対の第２の挿通孔４２ｂ，４２ｂのうちいずれか一方にのみ接触子が挿通した場合に、突部６３ｂを支点とした回動によって傾斜した第２の扉体６ｂの上側（一方向側）の端面が、突起４３に当接することで構成される。
【００４５】
本実施形態のコンセントは、上記構成を備えることによって、一対の挿通孔（第１，第２の挿通孔４２ａ，４２ｂ）のうちいずれか一方にのみ接触子が挿入されることを防止することができる。これにより、ユーザーが誤って異なる組である第１の挿通孔４２ａと第２の挿通孔４２ｂとにプラグの一対の接触子を挿入することによる、接続機器の破損を防止することができる。
【００４６】
なお、前後方向に傾いた扉体（第１，第２の扉体６ａ，６ｂ）が移動することを阻止する突起４３が設けられる位置は、カバー４の後面に限定するものではない。例えば、第２の台座３３の前面から前方に突出した突起を設け、前後方向に傾いた扉体（第１，第２の扉体６ａ，６ｂ）が移動することを阻止するように構成してもよい。
【００４７】
また、コンセントの防塵防水性能は、「JIS C 0920」に規定されるIPコード（IPXX）で保護等級が示される。従来のコンセントは、一対の挿通孔のうちいずれか一方にでも外来固形物（接触子）が挿通されると扉体が挿通孔を開放する構成である。したがって、従来のコンセントは、外来固形物に対する保護等級が「２：直径１２．５ｍｍ以上の大きさの外来固形物に対して保護している。」となる。一方、本実施形態のコンセントは、一対の挿通孔（第１，第２の挿通孔４２ａ，４２ｂ）のうちいずれか一方に外来固形物（接触子）が挿通されても扉体（第１，第２の扉体６ａ，６ｂ）は挿通孔（第１，第２の挿通孔４２ａ，４２ｂ）を開放しない。したがって、本実施形態のコンセントは、外来固形物に対する保護等級が「４：直径１ｍｍ以上の大きさの外来固形物に対して保護している。」となる。すなわち、本実施形態のコンセントは、従来のコンセントに対して、外来固形物に対する保護等級をアップさせることができる。
【００４８】
なお、本実施形態では、２つの挿通部（第１，第２の挿通部４１ａ，４１ｂ）を備えているが、３つ以上の挿通部を備えた構成であってもよい。
【符号の説明】
【００４９】
１  ボディ
２  第１の器体
３  第２の器体
４  カバー
４１ａ，４１ｂ  第１，第２の挿通部
４２ａ，４２ｂ  第１，第２の挿通孔
４３  突起
５ａ，５ｂ  第１，第２の接触子受け
６ａ，６ｂ  第１，第２の扉体
６１ａ，６１ｂ  扉片
６２ａ，６２ｂ  連結片
６３ａ，６３ｂ  突部
７  復帰ばね
【図１】
0006052677.tif 000002
【図２】
0006052677.tif 000003
【図３】
0006052677.tif 000004
【図４】
0006052677.tif 000005
【図５】
0006052677.tif 000006
【図６】
0006052677.tif 000007
【図７】
0006052677.tif 000008
【図８】
0006052677.tif 000009
【図９】
0006052677.tif 000010
【図１０】
0006052677.tif 000011